(57)【要約】      （修正有）【課題】スタッカ構成とカセット構成を切り替え使用し、アクセス制限が正しく設定、維持されていることを検出する媒体取扱装置を提供する。【解決手段】媒体収納庫をカセットまたはスタッカとして切り替えて運用可能な媒体取扱装置であって、外側面に第１の凸部を有した媒体収納庫と、媒体収納庫を収納するトレイ１１０と、トレイを収納し、トレイを引き出し方向に引き出し可能な筐体６００と、媒体収納庫側の側面に設けられた第２の凸部を有し、引き出し方向に移動可能な規制部材４０２と、規制部材を、第２の凸部がトレイに収納された媒体収納庫の第１の凸部に対応する位置となるロック状態と、第２の凸部がトレイに収納された媒体収納庫の第１の凸部に対応しない位置となるロック解除状態とに切り替えて保持するロック機構４０１と、ロック機構のロック状態または解除状態を検知する検知手段と、検知状態を判定する制御部と、を備える。【選択図】図１０
2018169743.tif 000002
【特許請求の範囲】
【請求項１】
媒体収納庫をカセットまたはスタッカとして切り替えて運用可能な媒体取扱装置であって、
外側面に第１の凸部を有した前記媒体収納庫と、
前記媒体収納庫を収納するトレイと、
前記トレイを収納し、前記トレイを引き出し方向に引き出し可能な筐体と、
前記媒体収納庫側の側面に設けられた第２の凸部を有し、前記引き出し方向に移動可能な規制部材と、
前記規制部材を、前記第２の凸部が前記トレイに収納された前記媒体収納庫の前記第１の凸部に対応する位置となるロック状態と、前記第２の凸部が前記トレイに収納された前記媒体収納庫の前記第１の凸部に対応しない位置となるロック解除状態とに切り替えて保持するロック機構と、
前記ロック機構の前記ロック状態または前記ロック解除状態を検知する検知手段と、
前記カセットまたは前記スタッカのいずれかで運用されている前記媒体収納庫に対して前記検知手段による検知状態を判定する制御部と、
を備えることを特徴とする媒体取扱装置。
【請求項２】
前記筐体に収納された前記トレイの前記媒体収納庫をロックする収納時ロック部材をさらに備え、
前記収納時ロック部材が前記トレイの収納時の押し込み力に反発する力を前記筐体から受けて前記規制部材が前記ロック状態に切り替わる、
ことを特徴とする請求項１に記載の媒体取扱装置。
【請求項３】
前記トレイは、１又は複数の前記媒体収納庫を収納し、
前記規制部材は、前記１又は複数の前記媒体収納庫のそれぞれに設けられた前記第１の凸部に対応する位置に前記第２の凸部が設けられている、
ことを特徴とする請求項１に記載の媒体取扱装置。
【請求項４】
前記ロック機構は、前記規制部材を前記ロック状態または前記ロック解除状態にするためのプレートを有し、鍵操作により当該プレートを前記トレイの引き出し方向にスライドさせることにより前記ロック状態と前記ロック解除状態とを切り替える、
ことを特徴とする請求項１に記載の媒体取扱装置。
【請求項５】
前記トレイは、１又は複数の前記媒体収納庫を収納し、
前記規制部材は、前記１又は複数の前記媒体収納庫のそれぞれに設けられた前記第１の凸部に対応する位置に前記第２の凸部が設けられ、
前記ロック機構は、前記第１の凸部または前記第２の凸部ごとに設けられている、
ことを特徴とする請求項４に記載の媒体取扱装置。
【発明の詳細な説明】
【技術分野】
【０００１】
本発明は、媒体取扱装置に関する。
【背景技術】
【０００２】
現金自動預払機の紙幣収納庫において、紙幣収納庫をトレイに固定したスタッカ構成と、紙幣収納庫をトレイから脱着可能なカセット構成がある。従来は、スタッカ構成とカセット構成の専用の現金自動預払機が主であったが、同一の金融機関でも、スタッカ構成とカセット構成の両方で使用される事例が増加しており、そのため、スタッカ構成と、カセット構成を容易に切り替える提案がなされている（特許文献１）。
【先行技術文献】
【特許文献】
【０００３】
【特許文献１】特開２０１７−１３９２８号公報
【発明の概要】
【発明が解決しようとする課題】
【０００４】
スタッカ構成の場合には媒体収納庫の取り出しには鍵などによるアクセス制限が必要で、一方、カセット構成では、トレイを引出しできれば、媒体収納庫の取り出しに対してアクセス制限はない。そのため、スタッカ構成とカセット構成の切り替えにおいて、改造や取扱いの誤使用の可能性に対しても、アクセス制限が正しく設定、維持されていることが必要である。また、筐体内にトレイが収納されている状態では、スタッカ構成は、媒体収納庫の取り出しができない構造であるが、カセット構成は、鍵などによるアクセス制限がないという差が生じている。
【０００５】
本発明は、媒体収納庫のスタッカ構成とカセット構成の切り替え使用に対し、アクセス制限が正しく設定、維持されていることを検出できる媒体取扱装置を提供することを目的とする。
【課題を解決するための手段】
【０００６】
本発明は、媒体収納庫をカセットまたはスタッカとして切り替えて運用可能な媒体取扱装置であって、外側面に第１の凸部を有した前記媒体収納庫と、前記媒体収納庫を収納するトレイと、前記トレイを収納し、前記トレイを引き出し方向に引き出し可能な筐体と、前記媒体収納庫側の側面に設けられた第２の凸部を有し、前記引き出し方向に移動可能な規制部材と、前記規制部材を、前記第２の凸部が前記トレイに収納された前記媒体収納庫の前記第１の凸部に対応する位置となるロック状態と、前記第２の凸部が前記トレイに収納された前記媒体収納庫の前記第１の凸部に対応しない位置となるロック解除状態とに切り替えて保持するロック機構と、前記ロック機構の前記ロック状態または前記ロック解除状態を検知する検知手段と、前記カセットまたは前記スタッカのいずれかで運用されている前記媒体収納庫に対して前記検知手段による検知状態を判定する制御部と、を備えることを特徴とする媒体取扱装置として構成される。
【発明の効果】
【０００７】
本発明によれば、媒体取扱装置に対してスタッカ構成とカセット構成を切り替え使用し、アクセス制限が正しく設定、維持されていることを検出できる。
【図面の簡単な説明】
【０００８】
【図１】現金自動取引装置の外観を示す斜視図である。
【図２】現金自動取引装置の機能ブロック図である。
【図３】現金自動取引装置の背面側から見た外観斜視図である。
【図４】現金自動取引装置の背面側から見た外観斜視図である。
【図５】紙幣取扱装置の構成を示す側面図である。
【図６】紙幣取扱装置の機能ブロック図である。
【図７】紙幣取扱装置における入金取引処理動作の説明図である。
【図８】紙幣取扱装置における入金収納処理動作の説明図である。
【図９】紙幣取扱装置における出金処理動作の説明図である。
【図１０】現金自動取引装置の背面側から見た外観斜視図である。
【図１１Ａ】トレイと鍵の機構を示す外観斜視図である。
【図１１Ｂ】トレイと鍵の機構を示す外観斜視図である（他の例）。
【図１２】紙幣収納庫とロック用の凸部の斜視図である。
【図１３】スタッカ構成のトレイと紙幣収納庫のロック構造を示す説明図である。(ロック状態)
【図１４】スタッカ構成のトレイと紙幣収納庫のロック構造を示す説明図である。(ロック解除状態)
【図１５】カセット構成のトレイと紙幣収納庫の構造の一例の説明図である。
【発明を実施するための形態】
【０００９】
以下に添付図面を参照して、本実施例における紙幣取扱装置の実施の形態を詳細に説明する。以下では、例えば、紙幣取扱装置をＡＴＭ（Ａｕｔｏｍｍａｔｅｄ  Ｔｅｌｌｅｒ  Ｍａｃｈｉｎｅ）などの現金自動預払機に適用した場合について説明しているが、これに限らず広く紙幣を取り扱う装置に適用することができる。さらに、例えば、紙幣に限らず、商品券などの紙媒体、硬貨、通帳、カード、明細票等を含む様々な媒体に適用することができる。
【００１０】
図１は、紙幣取扱装置を搭載した現金自動取引装置１００の外観を示す斜視図である。この現金自動取引装置１００は、銀行などの金融機関によって管理され、利用者（顧客）の操作に応じて各種取引を行うための装置である。現金自動取引装置１００は、紙幣取扱装置１０１と、硬貨取扱装置１０２と、通帳取扱装置１０３と、カード明細票取扱装置１０４と、顧客操作部１０５と、を備えている。また、図面は省略しているが、現金自動取引装置１００は、電源ユニットや、現金自動取引装置１００の全体を制御するための本体制御ユニットを備えている。
【００１１】
図２は、現金自動取引装置１００の機能ブロック図である。現金自動取引装置１００は、上述した紙幣取扱装置１０１と、硬貨取扱装置１０２と、通帳取扱装置１０３と、カード明細票取扱装置１０４と、顧客操作部１０５と、電源ユニット１０６と、ホストコンピュータなどの上位装置との通信部１０７とが、本体制御ユニット１０８に接続されている。
【００１２】
紙幣取扱装置１０１は、利用者により投入された紙幣の入金処理や、利用者に紙幣を放出する出金処理等を実行する装置である。この紙幣取扱装置１０１については、後から詳述する。硬貨取扱装置１０２は、利用者により投入された硬貨の入金処理や、利用者に硬貨を放出する出金処理等を実行する。通帳取扱装置１０３は、通帳を取り扱い、取引に応じて、通帳に記されたマークなどの読み取りや、印字処理などを行う。カード明細票取扱装置１０４は、磁気ストライプカード（いわゆるキャッシュカード）に記録された情報を読み取ったり、取引に応じて、その内容を記録した取引明細票を発行したりする。顧客操作部１０５は、入出金取引のための情報表示及び入出金取引のための操作入力を行うための利用者とのインタフェースである。
【００１３】
図３は、現金自動取引装置を背面側から見た斜視図である。図３に示すように、紙幣取扱装置１０１は、紙幣収納庫７１〜７５を収納するトレイ１１０を備えている。紙幣収納庫７１〜７５は、トレイ１１０に収納され、紙幣取扱装置１０１の前後方向に一列に配置されている。これらの紙幣収納庫７１〜７５は、後述するように、入金紙幣を出金紙幣として用いる環流（リサイクル）紙幣を金種ごとに分類して収納するリサイクル庫、または、入金紙幣のうち出金紙幣に適さない入金リジェクト紙幣や、出金取引時に紙幣収納庫７１〜７５から繰り出された紙幣のうち、出金紙幣に適さない紙幣である出金リジェクト紙幣を収納するリジェクト庫、紙幣取扱装置１０１に装填すべき紙幣や、紙幣取扱装置１０１から回収した紙幣を収納するための装填回収庫としても利用される。
【００１４】
トレイ１１０は、レール１１６によって接続されており、トレイ１１０は紙幣取扱装置１０１の筐体６００に対して、紙幣取扱装置１０１の前後方向にスライド移動可能となっている。このような構成により、紙幣取扱装置１０１の背面側から後方にトレイ１１０を引き出すことができる。
【００１５】
なお、図４に示すように、紙幣取扱装置１０１の上部ユニット１０１ｕを現金自動取引装置１００から引き出している間は、図示しないアクチュエータによって、下部ユニットである金庫部１０１ｃをロックし、トレイ１１０を現金自動取引装置１００から引き出せないように制御している。また、図３〜図４においては、紙幣取扱装置１０１を現金自動取引装置１００の後面から引き出す構成として説明しているが、紙幣取引装置１０１を現金自動取引装置１００の前面から引き出す構成としても良い。
【００１６】
次に、紙幣取扱装置１０１について詳細に説明する。紙幣取扱装置１０１は、上述した複数の紙幣収納庫、及び、紙幣の搬送路を、限られた内部スペースに配置し、紙幣の搬送効率や搬送信頼性の低下を抑制しつつ、これらの紙幣収納庫の一部を多目的に利用可能とするために、以下に説明する構成を備えている。
【００１７】
図５は、紙幣取扱装置の概略構成を示す側断面図である。紙幣取扱装置１０１は、上部に配置された上部ユニット１０１ｕと、下部に配置された下部ユニットである金庫部１０１ｃとから構成されている。上部ユニット１０１ｕには、利用者との紙幣の授受に必要な機構が集約されており、入金紙幣が投入されると共に、出金紙幣が集積される紙幣入出金口３０と、紙幣判別部４０と、一時保管庫５０と、制御ユニット（図示せず）とを備えている。また、上部ユニット１０１ｕは、紙幣を双方向に搬送可能な双方向搬送路１０ａ〜１０ｆ（以下、双方向搬送路１０ａ〜１０ｆをまとめて、第１の双方向搬送路１０とも称す）と、第２の双方向搬送路２０とを備えている。第１の双方向搬送路１０及び第２の双方向搬送路２０は、それぞれ、複数の搬送ローラや、これらの搬送ローラを双方向に回転させるためのモータ（図示せず）を有している。
【００１８】
第１の双方向搬送路１０は、双方向搬送路１０ａの一方の端部と、双方向搬送路１０ｆの一方の端部とが隣り合うように配置されている。すなわち、第１の双方向搬送路１０における一端と他端とが隣り合うことで、環状の双方向搬送路を構成している。また、第２の双方向搬送路２０は、双方向搬送路１０ａ、及び、双方向搬送路１０ｆにおける、隣り合ういずれかの端部に接続される。双方向搬送路１０ａと第２の双方向搬送路２０とを接続するか、双方向搬送路１０ｆと第２の双方向搬送路２０とを接続するかは、ゲート２５ｇによって切り換えられる。
【００１９】
紙幣入出金口３０の内部は、仕切板３１によって、紙幣繰出部３０ｉと、紙幣集積部３０ｏとに区分けされている。紙幣繰出部３０ｉは、利用者によって投入された紙幣を搬送路３０ａに繰り出す繰出機構を備え、搬送路３０ａ（単方向搬送路）を介して、第１の双方向搬送路１０に接続されている。搬送路３０ａは、双方向搬送路１０ａと双方向搬送路１０ｂとの接続部に合流するように接続される。また、紙幣集積部３０ｏは、搬送路３０ｂ（単方向搬送路）から搬送されてきた紙幣を集積するための集積機構を備え、搬送路３０ｂを介して、第１の双方向搬送路１０に接続されている。搬送路３０ｂは、双方向搬送路１０ｄと双方向搬送路１０ｅとの接続部から分岐するように接続される。なお、紙幣集積部３０ｏには、紙幣集積部３０ｏに集積された紙幣を紙幣繰出部３０ｉ側に移動させるための押圧板３２が備えられている。
【００２０】
紙幣判別部４０は、双方向搬送路１０ｃ上に配置され、双方向搬送路１０ｂから双方向搬送路１０ｃ、あるいは、双方向搬送路１０ｄから双方向搬送路１０ｃに搬送されてきた各紙幣について、金種、真偽、表裏、及び、リジェクト紙幣であるか否かを識別し、その識別結果を制御ユニットに出力する。この識別は、例えば、紙幣をスキャンして得られる画像データ、紙幣の表面の凹凸形状、磁気特性、紫外線などに対する光学特性など種々の情報を利用して行うことができる。
【００２１】
一時保管庫５０は、双方向搬送路５０ａを介して、第１の双方向搬送路１０に接続されている。第１の双方向搬送路１０と双方向搬送路５０ａとの接続部には、ゲート５０ｇが配置されている。このゲート５０ｇを切り換えることによって、双方向搬送路１０ｅから双方向搬送路５０ａに紙幣を搬送するか、双方向搬送路１０ｅから双方向搬送路１０ｆに紙幣を搬送するかが切り換えられる。
【００２２】
金庫部１０１ｃには、紙幣収納庫７１〜７５が、紙幣取扱装置１０１の前後方向に一列に配置されて収納されている。
【００２３】
紙幣収納庫７１は、搬送路７１ａ（双方向搬送路）を介して、第２の双方向搬送路２０に接続されている。紙幣収納庫７１は、搬送路７１ａから搬送されてきた紙幣を上下方向に集積して収納する機構や、収納されている紙幣を搬送路７１ａに繰り出す機構を備えている。
【００２４】
紙幣収納庫７２は、搬送路７２ａ（双方向搬送路）を介して、双方向搬送路１０ａに接続されている。そして、双方向搬送路１０ａと搬送路７２ａとの接続部には、ゲート７２ｇが配置されている。このゲート７２ｇを切り換えることによって、双方向搬送路１０ｂから双方向搬送路１０ａに搬送されてきた紙幣の搬送先が切り換えられる。紙幣収納庫７２は、搬送路７２ａから搬送されてきた紙幣を上下方向に集積して収納する機構や、収納されている紙幣を搬送路７２ａに繰り出す機構を備えている。
【００２５】
紙幣収納庫７３は、搬送路７３ａ（双方向搬送路）を介して、双方向搬送路１０ａに接続されている。そして、双方向搬送路１０ａと搬送路７３ａとの接続部には、ゲート７３ｇが配置されている。このゲート７３ｇを切り換えることによって、双方向搬送路１０ｂから双方向搬送路１０ａに搬送されてきた紙幣の搬送先が切り換えられる。紙幣収納庫７３は、搬送路７３ａから搬送されてきた紙幣を上下方向に集積して収納する機構や、収納されている紙幣を搬送路７３ａに繰り出す機構を備えている。
【００２６】
紙幣収納庫７４は、搬送路７４ａ（双方向搬送路）を介して、双方向搬送路１０ａに接続されている。そして、双方向搬送路１０ａと搬送路７４ａとの接続部には、ゲート７４ｇが配置されている。このゲート７４ｇを切り換えることによって、双方向搬送路１０ｂから双方向搬送路１０ａに搬送されてきた紙幣の搬送先が切り換えられる。紙幣収納庫７４は、搬送路７４ａから搬送されてきた紙幣を上下方向に集積して収納する機構や、収納されている紙幣を搬送路７４ａに繰り出す機構を備えている。
【００２７】
紙幣収納庫７５は、搬送路７５ａ（双方向搬送路）を介して、双方向搬送路１０ａに接続されている。そして、双方向搬送路１０ａと搬送路７５ａとの接続部には、ゲート７５ｇが配置されている。このゲート７５ｇを切り換えることによって、双方向搬送路１０ｂから双方向搬送路１０ａに搬送されてきた紙幣の搬送先が切り換えられる。紙幣収納庫７５は、搬送路７５ａから搬送されてきた紙幣を上下方向に集積して収納する機構や、収納されている紙幣を搬送路７５ａに繰り出す機構を備えている。
【００２８】
なお、上述した各搬送路上には、紙幣の通過を検出するための複数のセンサが配置され、制御ユニット８０によって、各搬送路上における紙幣の搬送状況が監視される。制御ユニット８０は、内部にＣＰＵや、メモリ等を備えるマイクロコンピュータとして構成され、紙幣判別部４０による識別結果や、各搬送路上における紙幣の搬送状況等に基づいて、予め用意されたプログラムに従って、紙幣取扱装置１０１の動作を制御する。
【００２９】
図６は、紙幣取扱装置１０１の機能ブロック図である。紙幣取扱装置１０１は、第１の双方向搬送路１０、第２の双方向搬送路２０、紙幣入出金口３０、紙幣判別部４０、一時保管庫５０、紙幣収納庫７１〜７５、制御ユニット８０、トレイ１１０、ロック解除状態を検知するセンサ４０６に接続されている。制御ユニット８０は、紙幣取扱装置１０１の全体を制御するためのユニットであり、本体制御ユニット１０８からの指示を基に各機構を制御する。
【００３０】
次に、図７、図８を参照して、紙幣取扱装置１０１における入金取引の処理動作について説明する。入金取引は、紙幣入出金口３０の紙幣繰出部３０ｉに投入された紙幣の真偽判別、金種判別、表裏判別、及び計数を行う入金計数処理と、入金計数処理を経た紙幣を紙幣収納庫７１〜７５に収納する入金収納処理とに分けられる。
【００３１】
最初に、図７を参照して、入金計数処理について説明する。紙幣入出金口３０の紙幣繰出部３０ｉにセットされた紙幣は、一枚ずつ分離され、搬送路３０ａへ繰り出される。搬送路３０ａへ繰出された紙幣は、搬送路１０ｂより紙幣判別部４０内の搬送路１０ｃを装置の前方から後方に通過する。紙幣判別部４０では、その内部に実装されたセンサによって、通過する紙幣の画像が取得され、その紙幣の真偽、金種、表裏、及び正損状態が判別される。
【００３２】
紙幣判別部４０を通過した紙幣は、紙幣判別部４０の後部から搬送路１０ｄを通って一旦上方へ搬送される。この搬送路１０ｄで搬送している間に、紙幣判別部４０による判別が完了して、その判別結果に応じて紙幣振り分けゲート１０ｇの切り替えが行われる。即ち、紙幣判別部４０によって受け入れ可能な紙幣であると判別された場合、紙幣振り分けゲート１０ｇは搬送路１０ｅに接続するように切り替えられ、その紙幣は紙幣振り分けゲート５０ｇにより、搬送路１０ｅ、５０ａに搬送されて一時保管庫５０に集積される。一方、紙幣判別部４０により受け入れ困難な紙幣であると判別された場合、紙幣振り分けゲート１０ｇは搬送路３０ｂに接続するように切り替えられ、その紙幣は紙幣集積部３０ｏに戻されて集積し、利用者に返却される。
【００３３】
この入金計数処理の搬送において、搬送路３０ａ、１０ｂ、１０ｃ、１０ｄ、１０ｅの順に紙幣を搬送する場合の方向を第１の搬送方向と言い、その逆に搬送することを第２の搬送方向ということにする。
【００３４】
このようにして紙幣入出金口３０に投入された全ての紙幣を処理し、入金された金額と紙幣取扱装置１０１の計数した金額とが一致し、利用者によって顧客操作部１０５より入金取引確定が指示入力されると、一時保管庫５０に一時収納されていた紙幣は紙幣収納庫７１〜７５へ搬送して収納される。
【００３５】
なお、搬送路上の紙幣の搬送動作の起動や停止、搬送方向の切り替え、ゲートの切り替え、等の動作の制御は、制御部（図示省略）の制御により行われる（以下の説明でも同様である）。
【００３６】
次に、図８を参照して、入金収納処理動作について説明する。最初に、紙幣振り分けゲート１０ｇ、５０ｇを一時保管庫５０と紙幣判別部４０を接続するように切り替え、紙幣振り分けゲート１１ｇを搬送路１０ｂと搬送路１０ａへ接続するように切り替える。
【００３７】
一時保管庫５０から一枚ずつ繰出された紙幣は、搬送路５０ａ、１０ｅ、１０ｄを通って紙幣判別部４０へ搬送される。紙幣判別部４０を通過した紙幣は、搬送路１０ｂによって搬送され、紙幣振り分けゲート１１ｇによって搬送路１０ａを通じて下部へ搬送される。さらに紙幣は、搬送路１０ａ、２０によって搬送され、紙幣判別部４０で判別された金種に応じて紙幣振り分けゲート７２ｇ〜７５ｇが切り替えられて、紙幣収納庫７１〜７５のいずれかに収納される。
【００３８】
ここで、紙幣判別部４０によって受け入れできない紙幣であると判別された場合、紙幣収納庫７１〜７５のうち、リジェクト庫に設定された紙幣収納庫へその紙幣を搬送し、集積する。その際、紙幣振り分けゲート７１ｇを搬送路７１ａに接続する、あるいは、紙幣振り分けゲート７２ｇを搬送路７２ａに接続する、あるいは、紙幣振り分けゲート７３ｇを搬送路７３ａに接続する、あるいは、紙幣振り分けゲート７４ｇを搬送路７４ａに接続する、あるいは、紙幣振り分けゲート７５ｇを搬送路７５ａに接続するように切り替えられ、紙幣収納庫７１〜７５のうち、リジェクト庫に設定された紙幣収納庫に収納される。
【００３９】
このように、入金収納処理では、搬送路１０ｅ、１０ｄ、１０ｃ、１０ｂ、１０ａ、２０において、紙幣を第２の搬送方向（第１の搬送方向と逆方向）へ搬送するように動作する。
【００４０】
次に、図９を参照して、出金取引の処理動作について説明する。金種別に収納された紙幣収納庫７１〜７５から紙幣が一枚ずつ繰り出されて、搬送路１０ａ，１０ｂ，１０ｃを紙幣判別部４０へ搬送される。紙幣判別部４０で当紙幣が出金可能な紙幣か否かを判定する。判別の結果、出金可能な紙幣であれば、紙幣振り分けゲート１０ｇを搬送路１０ｄと搬送路３０ｂを接続するように切り替えて、紙幣集積部３０ｏに紙幣を集積する。
【００４１】
一方、判別の結果、出金不可能な紙幣であれば、紙幣振り分けゲート１０ｇを搬送路１０ｄと搬送路１０ｅを接続するように切り替えて、搬送路１０ｆ、２０を通して、搬送路７１ａに接続する、あるいは、紙幣振り分けゲート７２ｇを搬送路７２ａに接続する、あるいは、紙幣振り分けゲート７３ｇを搬送路７３ａに接続する、あるいは、紙幣振り分けゲート７４ｇを搬送路７４ａに接続する、あるいは、紙幣振り分けゲート７５ｇを搬送路７５ａに接続するように切り替えられ、紙幣収納庫７１〜７５のうち、リジェクト庫に設定された紙幣収納庫に収納される。この紙幣の判別と判別結果による紙幣振り分けゲート１０ｇの切り替え制御は、紙幣を搬送路１０ｄに搬送している間に完了する。
【００４２】
紙幣の搬送動作が終了すると、紙幣入出金口３０のシャッタ３０ｓが開き、紙幣集積部３０ｏに集積した紙幣は利用者に抜き取り可能な状態となる。利用者が紙幣を抜き取るとその旨を紙幣入出金口３０に内蔵されたセンサ（図示省略）が検知してシャッタ３０ｓを閉じ、一連の出金取引処理を終了する。
【００４３】
このように、出金取引処理動作では、搬送路１０ａ、１０ｂ、１０ｄ、３０ｂ、１０ｅ、１０ｆ、１０ｃにおいて紙幣を第１の搬送方向へ搬送し、搬送路２０において紙幣を第２の搬送方向へ搬送するように動作する。
【００４４】
次に、図１０〜図１４を参照して紙幣収納庫７１〜７５のスタッカ構成の紙幣収納庫７１〜７５のロックと取り出しについて説明する。図１０は、ＡＴＭを背面から見た外観斜視図であり、図１１Ａはトレイ１１０と鍵のロック機構４０１を示す外観斜視図である。また、図１２は紙幣収納庫７１〜７５とロック用の凸部５０１の斜視図である。さらに、図１３、１４はスタッカ構成のトレイ１１０と紙幣収納庫７１〜７５のロック構造を示す説明図である。
【００４５】
図１０に示すように、スタッカ構成のトレイ１１０の側面には、ロック機構４０１と、紙幣収納庫７１〜７５をトレイ１１０に固定するための規制部材４０２が紙幣収納庫７１〜７５の並び方向であるトレイ１１０の引き出し方向に沿って取り付けられている。この規制部材４０２には規制部材動作バネ４０３を取り付けておき、常にロック解除方向である上記引き出し方向に規制部材４０２を引く構成とする。図１１Ａに示すように、ロック機構４０１は鍵４０４と鍵の開閉に連動して動作するキープレート４０５が取り付けられており、このキープレート４０５が規制部材４０２の動きを制限する。このキープレート４０５の位置を検知するセンサ４０６で、ロック機構４０１のロック状態を検知する。センサ４０６は、例えば、遮光センサから構成され、発光部から発せられた光がキープレート４０５により遮光されると、ロック機構４０１のロックが解除された状態であると検知される。
【００４６】
図１３に示すように、規制部材４０２には紙幣収納庫側（紙幣収納庫７１〜７５に向かう方向）に垂直に突出した突起４０２ａがあり、規制部材４０２の突起４０２ａが紙幣収納庫７１〜７５の規制部材４０２側の側面に取り付けられたロック用の凸部５０１（図１２）の上部に位置する。具体的には、図１３の下部に示すように、規制部材４０２の各紙幣収納庫が収納される位置に対応する位置に設けられた上記突起４０２ａと、各紙幣収納庫に設けられた上記凸部５０１とが、互いに各紙幣収納庫の引き出し方向（図１３では上下）に配置されている。上記突起４０２ａと上記凸部５０１とをこのような位置関係とすることで、紙幣収納庫７１〜７５をトレイ１１０から抜き取ろうとする際にロック用の凸部５０１の動きを妨げ、紙幣収納庫７１〜７５をトレイ１１０に固定することができる。本例では、各紙幣収納庫を垂直上方に引き出す構成としているが、上記突起４０２ａと上記凸部５０１とをこのような位置関係が維持されていれば、斜め上方等の他の方向に各紙幣収納庫を引き出す構成としてもよい。
【００４７】
図１４に示すように、鍵４０４を解除すると連動してキープレート４０５が回転し、センサ４０６で、ロック解除状態を検知する。キープレート４０５によって動作を妨げられていた規制部材４０２がスライド可能となり、規制部材動作バネ４０３の力によって、ロック解除方向にスライドし、規制部材４０２の突起４０２ａが、上記位置関係となる紙幣収納庫７１〜７５のロック用の凸部５０１の上部から退避するため、紙幣収納庫７１〜７５のロック用の凸部５０１の動きを妨げず、紙幣収納庫７１〜７５をトレイ１１０から着脱することができる。
【００４８】
スタッカ構成の場合、トレイ１１０が筐体６００に収納されていないときの紙幣収納庫７１〜７５の着脱を可能または不可能にするような上記ロック機構が必要となることに対し、カセット構成の場合には、常時トレイ１１０が筐体６００に収納されていないときの紙幣収納庫７１〜７５の着脱が可能である。したがって、紙幣収納庫７１〜７５がカセット構成の場合には、常に鍵４０４を解除したロック解除状態とすることで、常に、紙幣収納庫７１〜７５のロック用の凸部５０１の動きを妨げず、紙幣収納庫７１〜７５をトレイ１１０から着脱することができる。
又は、カセット構成では、図１５に示すように、鍵４０４のみを取り外して、常に、紙幣収納庫７１〜７５のロック用の凸部５０１の動きを妨げず、紙幣収納庫７１〜７５をトレイ１１０から着脱することも可能である。
【００４９】
なお、紙幣取扱装置１０１が、「スタッカ構成」であるか、または「カセット構成」であるかの設定は、紙幣取扱装置１０１が搭載されたＡＴＭの背面に設けられた係員操作部（不図示）から入力され、設定される。入力された設定情報（「スタッカ構成」または「カセット構成」）は、メモリ等の記憶部に記憶される。紙幣取扱装置１０１は、センサ４０６がキープレート４０５の位置をライト状態（ロック状態）として検知している場合にのみ、動作可能となっている。制御部（不図示）は、トレイ１１０が上記ライト状態を検知したと判定した場合、紙幣取扱装置１０１が動作することを許可する。一方、制御部は、センサ４０６がキープレート４０５の位置をダーク状態（ロック解除状態）として検知したと判定した場合、紙幣取扱装置１０１が動作することを禁止する。ここでいう動作とは、紙幣の繰り出し、集積、搬送などの紙幣取扱装置の機械的な動作を指す。
【００５０】
このような構成において、上記係員操作部から「スタッカ構成」が設定されている場合、センサ４０６は、キープレート４０５により遮光されずロック機構４０１によりロックされた状態（ライト状態）、およびキープレート４０５により遮光されてロック機構４０１によりロックされない状態（ダーク状態）の２通りの状態を検知する。上記ダーク状態の場合にはそれぞれの紙幣収納庫７１〜７５がロックされず、抜き取り可能な状態である。したがって、上記制御部は、センサ４０６が上記ダーク状態である場合には、紙幣取扱装置１０１の動作を禁止する。一方、センサ４０６が上記ライト状態である場合には、ロック機構４０１がロック状態であり、紙幣収納庫７１〜７５を抜き取ることはできない。したがって、この場合には、上記制御部は、トレイ１１０内の紙幣収納庫７１〜７５の収納状態は正常であると判断し、紙幣取扱装置１０１の動作を許可する。
【００５１】
他方、上記係員操作部から「カセット構成」が設定されている場合、センサ４０６は、キープレート４０５により遮光されずライト状態の１通りの状態しか検知しない。したがって、上記制御部は、センサ４０６が上記ダークを検知していると判定した場合、本来の使用状態ではないため紙幣取扱装置１０１が異常な状態であると判断し、紙幣取扱装置１０１の動作を禁止する。言い換えれば、紙幣収納庫７１〜７５がカセット構成である場合、トレイ１１０が筐体６００に収納されている場合にはセンサ４０６を常時上記ライト状態とすることでいつでも紙幣取扱装置１０１の動作を許可する。
【００５２】
このように、スタッカ構成とカセット構成とを切り替えて運用可能な紙幣収納庫を収納するトレイを備えた紙幣取扱装置において、係員操作部から設定されたとおりに紙幣収納庫のロック状態が物理的に正しく設定された状態になっていない場合であっても、物理的な状態を優先し、正常な運用でない場合には紙幣取扱装置１０１の動作を禁止する。したがって、物理的に鍵をかけ忘れてカセットやトレイを筐体に収納した状態でパネルからの設定が誤っていた場合でも、紙幣取扱装置１０１の動作を禁止することができる。このような状態で紙幣取扱装置の動作を許可したり禁止したりすることで、紙幣取扱装置１０１の動作中のアクセス制限が正しく設定され、維持されていることがわかる。
【００５３】
さらに、図示はしていないが、トレイ１１０にセットされている紙幣収納庫７１〜７５のうち任意の紙幣収納庫のロック用の凸部５０１のみを取り外す、又は任意の紙幣収納庫に対応する規制部材４０２の突起４０２aを取り外すことで、部分的にカセット構成とすることが可能である。例えば、図１０に示した紙幣収納庫７１〜７５のうち、紙幣収納庫７１、７２に対応する位置に設けられた上記突起４０２ａを設けない構成とし、他の紙幣収納庫７３〜７５が上記ロック状態となる場合であっても紙幣収納庫７１、７２を抜き取り可能としてもよい。あるいは、紙幣収納庫７１、７２に上記凸部５０１を設けない構成とし、他の紙幣収納庫７３〜７５が上記ロック状態となる場合であっても紙幣収納庫７１、７２を抜き取り可能としてもよい。
【００５４】
また、紙幣収納庫７１〜７５に取り付けたロック用の凸部５０１は、紙幣収納庫とは別の部材として設けられている必要はなく、例えば、紙幣収納庫７１〜７５に突起形状を有している場合には当該突起形状を利用しても良く、規制部材４０２に実装している突起４０２ａは、着脱可能なピンであっても良い。
【００５５】
また、図４に示したように、紙幣取扱装置１０１が上部ユニット１０１ｕを有し、その下部にトレイ１１０が設けられている場合、上部ユニット１０１ｕが引き出されていると、トレイ１１０に収納されている紙幣収納庫７１〜７５が露出した状態となり、誰もが紙幣収納庫７１〜７５にアクセス可能となってしまう。そこで、トレイ１１０が筐体６００に収納されている状態では、筐体６００の内部側面で、収納時ロック部材４０７をロック方向であるトレイ１１０の引き出し方向にスライドさせて、紙幣収納庫７１〜７５の抜き取りができないようにトレイ１１０に固定してもよい。
【００５６】
図１１Ｂは、このような他の例におけるトレイ１１０と鍵のロック機構４０１を示す外観斜視図である。図１１Ｂに示すように、トレイ１１０には、収納時ロック部材４０７が設けられている。収納時ロック部材４０７は、トレイ１１０を収納するときに、筐体６００のトレイ１１０の収納面に設けられた筐体突起部（不図示）から、トレイ１１０を収納するときの押し込み力に反発する力Ｐを受ける。収納時ロック部材４０７が、筐体６００から上記反発する力を受けると、一端が収納時ロック部材４０７に連結されているアームＡがトレイ１１０の収納方向に回転し、アームＡの他端に連結されている規制部材４０２がトレイ１１０の収納方向Ｘにスライドする。したがって、例えば、ロック機構４０１の鍵４０４をかけ忘れて図１４のようにロック解除状態のままトレイ１１０が筐体６００に収納された場合であっても、規制部材４０２のみが収納時ロック部材４０７から上記反発する力Ｐを受けて収納方向にスライドし、図１３のように、上記突起４０２ａと上記凸部５０１とが互いに各紙幣収納庫の引き出し方向に配置された位置関係としてロック状態とすることができる。したがって、鍵４０４をかけ忘れてトレイ１１０を収納した場合において上部ユニット１０１ｕが引き出されてトレイ１１０内の紙幣収納庫７１〜７５が露出した場合であっても、ロック状態を維持することができ、紙幣収納庫７１〜７５の抜き去りを防止することができる。
【００５７】
このように、本実施例では、紙幣収納庫をカセット構成またはスタッカ構成として切り替えて運用可能な紙幣取扱装置１０１において、外側面にロック用の凸部５０１（第１の凸部）を有した紙幣収納庫と、紙幣収納庫を収納するトレイ１１０と、トレイ１１０を収納し、トレイ１１０を引き出し方向に引き出し可能な筐体６００と、紙幣収納庫側の側面に設けられた突起４０２ａ（第２の凸部）を有し、引き出し方向に移動可能な規制部材４０２と、規制部材４０２を、第２の凸部がトレイ１１０に収納された紙幣収納庫の第１の凸部に対応する位置となるロック状態と、第２の凸部がトレイ１１０に収納された紙幣収納庫の第１の凸部に対応しない位置となるロック解除状態とに切り替えて保持するロック機構４０１と、ロック機構４０１のロック状態またはロック解除状態を検知するセンサ４０６と、カセット構成またはスタッカ構成のいずれかで運用されている紙幣収納庫に対してセンサ４０６による検知状態を判定する制御部と、を備える。したがって、紙幣取扱装置に対してスタッカ構成とカセット構成を切り替え使用し、アクセス制限が正しく設定、維持されていることを検出できる。
【００５８】
また、筐体６００に収納されたトレイ１１０の紙幣収納庫をロックする収納時ロック部材４０７をさらに備え、収納時ロック部材４０７がトレイ１１０の収納時の押し込み力に反発する力を筐体６００から受けて規制部材４０２がロック状態に切り替わる。したがって、ロック解除状態のままトレイ１１０が収納された場合でもトレイ１１０の筐体６００への収納に伴ってロック状態とすることができる。
【００５９】
また、トレイ１１０は、１又は複数の紙幣収納庫を収納し、規制部材４０２は、１又は複数の紙幣収納庫のそれぞれに設けられた第１の凸部に対応する位置に第２の凸部が設けられている。したがって、トレイ１１０が１又は複数の紙幣収納庫を収納する場合でもそのそれぞれに対してセンサ４０６による検知状態を判定することができる。
【００６０】
また、ロック機構４０１は、規制部材４０２をロック状態またはロック解除状態にするためのキープレート４０５を有し、鍵操作により当該キープレート４０５をトレイ１１０の引き出し方向にスライドさせることによりロック状態とロック解除状態とを切り替える。したがって、簡素な構成でロック状態とロック解除状態との切り替えが可能となる。
【００６１】
また、トレイ１１０は、１又は複数の紙幣収納庫を収納し、規制部材４０２は、１又は複数の紙幣収納庫のそれぞれに設けられた第１の凸部に対応する位置に第２の凸部が設けられ、ロック機構４０１は、第１の凸部または第２の凸部ごとに設けられている。したがって、それぞれの紙幣収納庫に対応する第２の凸部について鍵操作によりロック状態とロック解除状態とを切り替えることができる。
【００６２】
なお、本実施例で示した紙幣取扱装置は、上述の実施形態のみに限定されるものではなく、紙幣、硬貨、通帳、カードや他の重要媒体の媒体取扱装置に実施の形態を得ることができる。
【符号の説明】
【００６３】
１０…第１の双方向搬送路、２０…第２の双方向搬送路、３０…紙幣入出金口、４０…紙幣判別部、５０…一時保管庫、７１〜７５…紙幣収納庫、１１０…トレイ、４０１…ロック機構、４０２…規制部材、４０２ａ…突起、４０３…規制部材動作バネ、４０４…鍵、４０５…キープレート、４０６…センサ、４０７…収納時ロック部材、５０１…紙幣収納庫のロック用の凸部、６００…筐体
【図１】
2018169743.tif 000003
【図２】
2018169743.tif 000004
【図３】
2018169743.tif 000005
【図４】
2018169743.tif 000006
【図５】
2018169743.tif 000007
【図６】
2018169743.tif 000008
【図７】
2018169743.tif 000009
【図８】
2018169743.tif 000010
【図９】
2018169743.tif 000011
【図１０】
2018169743.tif 000012
【図１１Ａ】
2018169743.tif 000013
【図１１Ｂ】
2018169743.tif 000014
【図１２】
2018169743.tif 000015
【図１３】
2018169743.tif 000016
【図１４】
2018169743.tif 000017
【図１５】
2018169743.tif 000018